(57)【要約】      （修正有）【課題】オフィス内や住宅内の所望の場所に搬送して設置可能であり、コンピュータ端末や通信機器等の配線の処理を容易にすると共に防雷対策を施した移動式ルームユニットを提供する。【解決手段】移動式ルームユニットは、外部から隔離され、かつデスクワーク可能な容積を有する隔壁体１と、隔壁体１の移動時に使用される移動手段としてのキャスター７と、隔壁体１に設置された無線ＬＡＮ親機６と、隔壁体１の内部において無線ＬＡＮ親機６または有線ＬＡＮを介して外部ネットワークに接続可能なコンピュータ端末１０と、電源コンセント１４と、有線ＬＡＮを構成するＬＡＮコンセント１５と、を備える。【選択図】図２
0003227841.tif 000002
【実用新案登録請求の範囲】
【請求項１】
外部から隔離され、かつデスクワーク可能な容積を有する隔壁体と、
前記隔壁体の移動時に使用される移動手段と、
前記隔壁体に設置された無線ＬＡＮ親機と、
前記隔壁体の内部において前記無線ＬＡＮ親機または有線ＬＡＮを介して外部ネットワークに接続可能なコンピュータ端末と、
電源コンセントと、
前記有線ＬＡＮを構成するＬＡＮコンセントと、
を備えたことを特徴とする移動式ルームユニット。
【請求項２】
請求項１に記載した移動式ルームユニットにおいて、
前記移動手段が、前記隔壁体の底面に固定されたキャスターであることを特徴とする移動式ルームユニット。
【請求項３】
請求項１または２に記載した移動式ルームユニットにおいて、
前記電源コンセントに電源を引き込む電源ケーブルに電源用ＳＰＤを接続し、かつ、前記ＬＡＮコンセントに接続された外部のＬＡＮケーブルにＬＡＮ用ＳＰＤを接続したことを特徴とする移動式ルームユニット。
【請求項４】
請求項１〜３の何れか１項に記載した移動式ルームユニットにおいて、
前記隔壁体内にフリーアクセスフロアによる二重床構造を備えたことを特徴とする移動式ルームユニット。
【考案の詳細な説明】
【技術分野】
【０００１】
本考案は、企業のオフィス内や個人の住宅内に設置されてＷｅｂ会議を含む在宅勤務やＷｅｂ授業等に利用可能な移動式ルームユニットに関する。
【背景技術】
【０００２】
現在、ウィルスへの感染や感染拡大を防止する目的で、いわゆるＷｅｂ会議やＷｅｂ授業等が盛んに行われており、この傾向は今後も続くことが予想される。
通常、企業におけるＷｅｂ会議は一般の事務室以外の会議室を使用して行われるが、会議室の空き状態と複数の参加者の予定とを合わせるスケジューリング作業は極めて煩雑である。
また、独立した会議室を持たない零細企業や個人事業主が一般の事務室内で行うＷｅｂ会議や、自宅に個室のない学生・生徒が受けるＷｅｂ授業では、周囲の騒音等の環境条件により会議や授業が妨害されるおそれもある。
【０００３】
上記の点に鑑み、例えば特許文献１に示すように、コンピュータ等の端末を用いて自宅で業務を行うめの在宅勤務用カプセルが提案されている。
この在宅勤務用カプセルは、照明手段、換気手段、及び防音手段を備えており、特に、端末のディスプレーへの照明光や外光の映り込みを防止するための不透明部材を壁面に備えた構造を採用している。
【先行技術文献】
【特許文献】
【０００４】
【特許文献１】特開昭６１−１５１３７２号公報
【考案の概要】
【考案が解決しようとする課題】
【０００５】
特許文献１に記載された在宅勤務用カプセルは、照明や換気、防音効果の向上を主な目的としており、カプセル自体の移動手段や端末、通信機器に対する防雷対策等については何ら言及されていない。
【０００６】
そこで、本考案の解決課題は、オフィス内や住宅内の所望の場所への設置や移動が可能であり、しかも、コンピュータ端末等の配線の処理を容易化すると共に防雷対策を施した移動式ルームユニットを提供することにある。
【課題を解決するための手段】
【０００７】
上記課題を解決するため、請求項１に係る考案は、外部から隔離され、かつデスクワーク可能な容積を有する隔壁体と、前記隔壁体の移動時に使用される移動手段と、前記隔壁体に設置された無線ＬＡＮ親機と、前記隔壁体の内部において前記無線ＬＡＮ親機または有線ＬＡＮを介して外部ネットワークに接続可能なコンピュータ端末と、電源コンセントと、前記有線ＬＡＮを構成するＬＡＮコンセントと、を備えたことを特徴とする。
【０００８】
請求項２に係る考案は、請求項１に記載した移動式ルームユニットにおいて、前記移動手段が、前記隔壁体の底面に固定されたキャスターであることを特徴とする。
【０００９】
請求項３に係る考案は、請求項１または２に記載した移動式ルームユニットにおいて、前記電源コンセントに電源を引き込む電源ケーブルに電源用ＳＰＤを接続し、かつ、前記ＬＡＮコンセントに接続された外部のＬＡＮケーブルにＬＡＮ用ＳＰＤを接続したことを特徴とする。
【００１０】
請求項４に係る考案は、請求項１〜３の何れか１項に記載した移動式ルームユニットにおいて、前記隔壁体内にフリーアクセスフロアによる二重床構造を備えたことを特徴とする。
【考案の効果】
【００１１】
本考案の移動式ルームユニットは、オフィス内や住宅内の所望の場所に搬送して設置可能であり、Ｗｅｂ会議を含む在宅勤務やＷｅｂ授業のための会議室や個室を用意できない場合でもこれらを支障なく行うことができる。
また、外部から引き込まれる電源ケーブルやＬＡＮケーブルにＳＰＤを接続すれば、コンピュータ端末や通信機器を落雷から保護することができると共に、ユニット内に二重床構造を備えることによって配線の処理も容易になる。
【図面の簡単な説明】
【００１２】
【図１】本考案の実施形態に係る移動式ルームユニットの斜視図である。
【図２】図１の移動式ルームユニット内の主要部を示す構成図である。
【図３】図１の移動式ルームユニット内の主要部を示す構成図である。
【図４】図１の移動式ルームユニットにおける防雷手段を示す回路構成図である。
【考案を実施するための形態】
【００１３】
以下、図に沿って本考案の実施形態を説明する。
図１は、本実施形態に係る移動式ルームユニットの斜視図である。
図１において、ほぼ直方体状に形成された隔壁体１は、その内部に利用者が着席してパソコンやタブレット等のコンピュータ端末１０を操作可能な容積を有し、スチールやアルミニウム、木材等の適宜な建材によって形成されている。この隔壁体１には、周囲の騒音を遮断する防音機能を持たせることが望ましい。
【００１４】
隔壁体１の一端面には出入口となるドア２が配置され、両側面には窓３，４がそれぞれ配置されていると共に、隔壁体１の適宜な位置には換気扇５及び無線ＬＡＮ親機６が取り付けられている。
なお、２ａはドア２の下端部に形成された吸気口、７は隔壁体1の底面に固定されたストッパー付きのキャスターである。
【００１５】
次に、図２及び図３は、移動式ルームユニット内の主要部の構成を示している。
隔壁体１の床面には、フリーアクセスフロア８が設置されて二重床構造となっている。このフリーアクセスフロア８は、上面に椅子９を載置可能な面積を有し、椅子９に正対する隔壁体1の内壁には、コンピュータ端末１０を操作するための簡易デスク１１が設置されている。
【００１６】
簡易デスク１１の下方には、電源コンセント１４及びＬＡＮコンセント（ＬＡＮアウトレット）１５が配置されている。電源コンセント１４はコンピュータ端末１０や無線ＬＡＮ親機６等に電源を供給し、ＬＡＮコンセント１５はコンピュータ端末１０または他の端末が接続されて有線ＬＡＮを構築するためのものである。
電源コンセント１４は、電源ケーブル１６を介して隔壁体１の外部の商用電源に接続され、ＬＡＮコンセント１５は、ＬＡＮケーブル１７を介して外部のルータやモデムに接続される。
【００１７】
コンピュータ端末１０が無線ＬＡＮ機能を備えていれば、コンピュータ端末１０とインターネット等の外部ネットワークとの通信は、無線ＬＡＮ親機６を介してＷｉ−Ｆｉ（登録商標）等により実行される。また、コンピュータ端末１０をＬＡＮケーブルによりＬＡＮコンセント１５に接続すれば、有線ＬＡＮにより外部ネットワークに接続することができる。
【００１８】
簡易デスク１１の上方にはＷｅｂカメラ１２が配置され、隔壁体１の天井面には照明具１３が設置されている。なお、コンピュータ端末１０がカメラ機能を備えていればＷｅｂカメラ１２は不要になる。また、マイクについては、図示されていないヘッドセットや単体のマイクを使用すれば良い。
【００１９】
前述したように隔壁体１の床を二重床構造とすれば、フリーアクセスフロア８の下方空間に、電源ケーブル１６やＬＡＮケーブル１７、その他の各種ケーブルを収容することができる。これにより、椅子９に座った利用者の足元に余分なケーブル類が散乱するのを防ぎ、使い勝手が向上する。
【００２０】
図４は、この移動式ルームユニットにおける防雷手段を示す回路構成図である。
図４において、電源コンセント１４に商用電源を引き込む電源ケーブル１６には電源用ＳＰＤ１８が接続され、ＬＡＮコンセント１５に接続されたＬＡＮケーブル１７にはＬＡＮ用ＳＰＤ１９が接続されている。
図示するように、電源用ＳＰＤ１８及びＬＡＮ用ＳＰＤ１９は共に接地することが望ましい。しかし、接地が困難な場合には、電源ケーブル１６またはＬＡＮケーブル１７に侵入した雷電流を電源用ＳＰＤ１８及びＬＡＮ用ＳＰＤ１９を介して他方のケーブル側に逃がすバイパス方式により、電源コンセント１４やＬＡＮコンセント１５に接続される機器を雷電流から保護することができる。
【００２１】
以上のように構成された本考案の移動式ルームユニットは、例えばオフィスの事務室内や住宅内の所望の場所に搬送して設置され、キャスター７のストッパーを用いて固定される。
この移動式ルームユニットによれば、利用者は、任意の場所において周囲から隔離された状態でＷｅｂ会議を含む在宅勤務を行い、あるいは、Ｗｅｂ授業等を受けることが可能である。これにより、周囲の騒音等に煩わされることなく効率的に執務や学習を行うことができる。
【００２２】
なお、本考案の移動式ルームユニットは、オフィスや住宅の室内に限らず、室外の駐車場や庭先に設置して使用しても良い。
【符号の説明】
【００２３】
１：隔壁体
２：ドア
２ａ： 吸気口
３，４：窓
５： 換気扇
６：無線ＬＡＮ親機
７：キャスター
８：フリーアクセスフロア
９：椅子
１０：コンピュータ端末
１１：簡易デスク
１２：Ｗｅｂカメラ
１３：照明具
１４：電源コンセント
１５：ＬＡＮコンセント（ＬＡＮアウトレット）
１６：電源ケーブル
１７：ＬＡＮケーブル
１８：電源用ＳＰＤ
１９：ＬＡＮ用ＳＰＤ
【図１】
0003227841.tif 000003
【図２】
0003227841.tif 000004
【図３】
0003227841.tif 000005
【図４】
0003227841.tif 000006